(57)【要約】【課題】凹凸が少なく意匠性の高い加温用樹脂製容器を提供すること。【解決手段】キャップが着脱自在な口部２と、口部２に連設される肩部３と、肩部３に連設される胴部４と、胴部４に連設され最下部に位置する底部５とを備える加温用樹脂製容器１であって、容器重量が２０ｇ以上で、かつ、容器の重量と内容量との比が４２ｇ／Ｌ〜８８ｇ／Ｌであり、胴部４に、減圧吸収部が形成されていない加温用樹脂製容器１。【選択図】図１
2018144879.tif 000002
【特許請求の範囲】
【請求項１】
キャップが着脱自在な口部と、該口部に連設される肩部と、該肩部に連設される胴部と、該胴部に連設され最下部に位置する底部とを備える加温用樹脂製容器であって、
容器重量が２０ｇ以上で、かつ、容器の重量と内容量との比が４２ｇ／Ｌ〜８８ｇ／Ｌであり、前記胴部に、減圧吸収部が設けられていないことを特徴とする加温用樹脂製容器。
【請求項２】
前記肩部の角度が、２０度以上であることを特徴とする請求項１に記載の加温用樹脂製容器。
【請求項３】
前記胴部に、周溝又は周リブが設けられていないことを特徴とする請求項１又は２に記載の加温用樹脂製容器。
【請求項４】
前記容器の重量と内容量との比が、５７ｇ／Ｌ〜８４ｇ／Ｌであることを特徴とする請求項１〜３のいずれか１項に記載の加温用樹脂製容器。
【発明の詳細な説明】
【技術分野】
【０００１】
本発明は、飲料等が充填される加温用樹脂製容器に関する。
【背景技術】
【０００２】
コーヒー等のホット飲料を充填した樹脂製容器を加温販売すると、加温販売時に容器内圧が高まることによって、容器が膨れて変形したり、あるいは底部がバックリングにより膨出して自立安定性が低下する虞がある。そのため、以下の特許文献１に示されるように、従来の加温用樹脂製容器では、複数の減圧吸収パネルを胴部に陥没形成することによって、容器内圧を吸収して容器の変形を防止し、さらに容器の自立安定性も保持されるように構成されている。
【先行技術文献】
【特許文献】
【０００３】
【特許文献１】特開２００５−７５４２１号公報
【発明の概要】
【発明が解決しようとする課題】
【０００４】
上記従来のペットボトルでは、複数の減圧吸収パネルが胴部に設けられることによって、その凸凹とした感じから意匠性が損なわれてしまう場合があり、改善する余地が残されている。
本発明の目的は、凹凸が少なく意匠性の高い加温用樹脂製容器を提供することにある。
【課題を解決するための手段】
【０００５】
本発明の加温用樹脂製容器の特徴構成は、キャップが着脱自在な口部と、該口部に連設される肩部と、該肩部に連設される胴部と、該胴部に連設され最下部に位置する底部とを備える加温用樹脂製容器であって、容器重量が２０ｇ以上で、かつ、容器の重量と内容量との比が４２ｇ／Ｌ〜８８ｇ／Ｌであり、前記胴部に、減圧吸収部が設けられていない点にある。
【０００６】
本発明の加温用樹脂製容器のさらなる特徴構成は、前記肩部の角度が、２０度以上である点にある。
【０００７】
本発明の加温用樹脂製容器のさらなる特徴構成は、前記胴部に、周溝又は周リブが設けられていない点にある。
【０００８】
本発明の加温用樹脂製容器のさらなる特徴構成は、容器の重量と内容量との比が、５７ｇ／Ｌ〜８４ｇ／Ｌである点にある。
【発明の効果】
【０００９】
本構成によれば、胴部に、少なくとも減圧吸収部が設けられていないため、凹凸が少なく、加温用樹脂製容器の意匠性が向上する。また特に、容器重量を２０ｇ以上とし、かつ、容器の重量と内容量との比を４２ｇ／Ｌ〜８８ｇ／Ｌに設定することによって、加温販売時において、容器が膨れて変形したり、あるいは底部がバックリングにより膨出して自立安定性が損なわれることを、より確実に防止することができる。
【図面の簡単な説明】
【００１０】
【図１】加温用樹脂製容器の斜視図である。
【図２】加温用樹脂製容器の側面図である。
【図３】図２の矢視線ＩＩＩ−ＩＩＩにおける加温用樹脂製容器の縦断面図である。
【図４】加温用樹脂製容器のその他の実施形態の側面と、その一部を切欠いた断面を示す図である。
【発明を実施するための形態】
【００１１】
〔実施形態〕
以下、本発明に係る加温用樹脂製容器の好適な実施の形態として、ホット飲料等の液体が充填されるプラスチックボトル１を図面に基づいて説明する。
【００１２】
まず、本明細書で用いる各種の用語について以下のとおり定義する。
本明細書中において「上下方向」とは、図１のプラスチックボトル１（以下、ボトル１と略称する）の中心軸Ｘ−Ｘの方向を意味する。特に図１〜図３において、上方とは、図面の上端側を指し、下方とは図面の下端側を指す。
「横方向」又は「水平方向」とは、中心軸Ｘ−Ｘ方向に直交する方向を意味する。
「周方向」とは、横断面形状の輪郭に沿う方向を意味する。
「径方向」とは、中心軸Ｘ−Ｘを円の中心として考えた場合におけるその円の半径方向を意味する。
「高さ」とは、中心軸Ｘ−Ｘ方向に沿う長さを意味する。
「深さ」とは、径方向に沿う長さを意味する。
「横断面形状」とは、中心軸Ｘ−Ｘに直交する平面（横断面）におけるボトル１の断面形状を意味する。
「縦断面形状」とは、中心軸Ｘ−Ｘに沿う平面（縦断面）におけるボトル１の断面形状を意味する。
【００１３】
図１〜図３に示されるように、本実施形態に係るボトル１は、上方から順に、キャップが着脱自在な口部２と、口部２に連設される肩部３と、肩部３に連設される胴部４と、胴部４に連設され最下部に位置する底部５とを備える。また本実施形態に係るボトル１は、横断面が略円形の円筒状の容器である。
【００１４】
ボトル１は、例えば、ポリエチレン、ポリプロピレン、ポリエチレンテレフタレートなどの熱可塑性樹脂を主材料として、二軸延伸ブロー成形法などの公知の成形法によって製造することができる。
【００１５】
ボトル１に充填される液体としては、加温して販売されるコーヒー、紅茶、スープ等のホット飲料が好適である。しかしながら、特にホット飲料に限定されるというものではなく、常温や低温で販売される他の飲料類（例えば、飲料水、茶、果汁、コーヒー、ココア、清涼飲料水、アルコール飲料、乳飲料、スープ等）や、ソースや醤油などの液体調味料といったものを充填しても良い。
【００１６】
またボトル１の内容量についても特に限定されるものではなく、充填する液体の種類等に応じて、数百ミリリットル単位の比較的小容量のものから、数リットル単位の比較的大容量のものに至るまで任意に適用して良い。しかしながら、特に、ボトル１を飲料用ボトル１として適用する場合は、内容量を２５０ｍＬ〜５００ｍＬ、より好ましくは２５０ｍＬ〜３５０ｍＬとして、重量を２０ｇ以上、より好ましくは２０ｇ〜２２ｇ、さらにより好ましくは２１ｇ〜２２ｇ、最も好ましくは２１ｇとすることが望ましい。従って、容器の重量と内容量との比（容器重量／容器内容量）は、４２ｇ／Ｌ〜８８ｇ／Ｌであり、より好ましくは、５０ｇ／Ｌ〜８８ｇ／Ｌ、もっとも好ましいのは５７ｇ／Ｌ〜８４ｇ／Ｌである。
【００１７】
（口部）
口部２は、上端が開口する円筒で構成される部分であり、飲料等の注ぎ口として機能する。口部２の外周面には雄ネジ部が形成されており、図示しないキャップが着脱自在に螺合固定される。
【００１８】
（肩部）
肩部３は、その上端から下方に向けて連続して拡径してなる、略円錐状に構成される部分である。肩部３の縦断面形状は、容器外側に凸となる緩やかな円弧であり、本実施形態においては、曲率半径＝７４ｍｍ（７４Ｒ）である。また、ボトル１の縦断面形状において、口部２と肩部３との境界部分９と、肩部３と胴部４との境界部分１０とを結ぶ直線Ｌ、及び水平線Ｈによって形成される鋭角の角度θ（以下、この角度を「肩部の角度θ」と称する）が２０度以上であり、好ましくは３０度以上、より好ましくは４０度以上である。尚、本実施形態における肩部の角度θは４３．５度である。
【００１９】
（胴部）
胴部４は、横断面形状が略円形の円筒状の部分であって、ボトル１の最大外径を有している。また、胴部４の外周面には飲料の銘柄等を表示するラベルを設けることができる。本実施形態における胴部４には、熱間充填による内圧変動や内容液の容積変動に対応して湾曲変位することにより容器の変形を防止するために陥没形成される減圧吸収部や、容器の座屈変形を防ぐための周溝や周リブ等が設けられておらず、胴部４の外周面全体が、凹凸の略存在しない滑らかな面で構成されている。
【００２０】
尚、胴部４は、本実施形態に限られず、少なくとも減圧吸収部が設けられていない構成とすれば良く、周溝や周リブ等の他の凹凸部分については、必要に応じて設けるようにしても良い。
【００２１】
（底部）
図３に示されるように、底部５には、容器内側に山状に凹む凹み部分６と、ボトル１を立てたときに設置面と接する底面７と、底面７から胴部４にかけて傾斜する傾斜部８とが連設して構成されている。底面７は、平面視においてリング形状をなし、凹み部分６の外周に配置される。
【００２２】
〔その他の実施形態〕
上述の実施形態に限らず、図４に示されるように、肩部の角度θを２０度に設定することも可能である。
【実施例】
【００２３】
（恒温庫保管評価）
上記実施形態のボトル１の構成を備えるペットボトル（容器容量２８０ｍＬ）を、重量の異なる２種類のプリフォーム（１８ｇ、２１ｇ）を用いて、二軸延伸ブロー成形法によって作製した。各プリフォームについて、ペットボトルを３本作製した。
【００２４】
作製したペットボトルのそれぞれに所定量の飲料を充填してキャップを装着した。そして、７０℃の恒温庫に１週間保管して、ペットボトルの形状変化と自立安定性とを確認した。結果を以下の表１に示す。尚、プリフォーム重量は、ペットボトル（キャップなし）の容器重量となる。
【００２５】
【表１】
2018144879.tif 000003
【００２６】
表１における「○」は、ペットボトルの自立安定性が保持されていることを示しており、「×」は、ペットボトルの自立安定性が保持されなかったことを示す。
【００２７】
表１に示されるように、容器重量が２１ｇのペットボトルについてはいずれも、自立安定性が保持されていた。しかし、容器重量が１８ｇのペットボトルについてはいずれも、底部がバックリングにより膨出して自立安定性が保持されていなかった。
【産業上の利用可能性】
【００２８】
本発明の加温用樹脂製容器は、飲料類や液体調味料などを密封充填する容器として用いることができる。
【符号の説明】
【００２９】
１  ボトル
２  口部
３  肩部
４  胴部
５  底部
６  凹み部分
７  底面
８  傾斜部
９  口部と肩部との境界部分
１０  肩部と胴部との境界部分
Ｌ  直線
Ｈ  水平線
θ  肩部の角度
【図１】
2018144879.tif 000004
【図２】
2018144879.tif 000005
【図３】
2018144879.tif 000006
【図４】
2018144879.tif 000007